(57)【要約】【課題】利便性の高い忘れ物防止機能を提供する。【解決手段】表示部２４と、文字入力を行うボタン入力部２８、静止画あるいは動画を撮影するカメラ２５、音声を入力する音声録音部２６と、これらの各入力部のいずれかから入力される情報を保持するＲＡＭ２２と、２つ折り構造の携帯電話機の閉→開によって起動操作を検出する開閉検知部２９と、開閉検知部２９が起動操作を検出した場合に、ＲＡＭ２２に保持されている情報あるいはＲＡＭ２２に保持されている旨を示す情報を表示部２４に表示させる制御部２０と、を備える。また、制御部２０は、ＲＡＭ２２に情報を保持させるために、各入力部のいずれかを選択可能とするように各入力部の一覧を表示部２４に表示させる。【選択図】図１
2009105641.tif 000002
【特許請求の範囲】
【請求項１】
表示部と、
文字、画像および音声の各入力部と、
前記各入力部のいずれかから入力される備忘情報を保持する記憶部と、
携帯電話機の起動操作を検出する検出部と、
前記各入力部から前記備忘情報を入力させる場合に、前記各入力部のいずれかを選択可能とするように前記各入力部の一覧を前記表示部に表示させ、前記検出部が前記起動操作を検出した場合に、前記備忘情報あるいは前記記憶部に前記備忘情報が保持されている旨を示す情報を前記表示部に表示させる制御部と、
を備えることを特徴とする携帯電話機。
【請求項２】
前記画像の入力部は、静止画あるいは動画を入力可能とすることを特徴とする請求項１記載の携帯電話機。
【請求項３】
前記携帯電話機が２つの筐体の結合構造をなし、
前記検出部は、前記２つの筐体が２つ折構造を有する場合に該２つ折構造の開閉を検出し、前記２つの筐体が互いにスライド構造を有する場合にスライドの有無を検出し、前記２つの筐体が互いに回転構造を有する場合に回転の有無を検出することで、前記起動操作を検出することを特徴とする請求項１記載の携帯電話機。
【請求項４】
前記制御部は、前記検出部が前記起動操作を検出した場合に、前記記憶部に前記備忘情報として保持されている文字情報の少なくとも一部あるいは文字情報が保持されている旨を示す情報を前記表示部に表示させ、前記文字入力部の操作を検出して対応する前記記憶部に保持されている文字情報を表示可能とするように制御することを特徴とする請求項１または３記載の携帯電話機。
【請求項５】
前記制御部は、前記検出部が前記起動操作を検出した場合に、前記記憶部に前記備忘情報として保持されている画像情報の少なくとも一部あるいは画像情報が保持されている旨を示す情報を前記表示部に表示させ、前記文字入力部の操作を検出して対応する前記記憶部に保持されている画像情報を表示可能とするように制御することを特徴とする請求項１または３記載の携帯電話機。
【請求項６】
前記制御部は、前記検出部が前記起動操作を検出した場合に、前記記憶部に前記備忘情報として音声情報が保持されている旨を示す情報を前記表示部に表示させ、前記文字入力部の操作を検出して対応する前記記憶部に保持されている音声情報を聴取可能とするように制御することを特徴とする請求項１または３記載の携帯電話機。
【請求項７】
表示部と、文字、画像および音声の各入力部と、各入力部のいずれかから入力される備忘情報を保持する記憶部と、携帯電話機の起動操作を検出する検出部と、を備える携帯電話機における表示方法であって、
前記各入力部から前記備忘情報を入力させる場合に、前記各入力部のいずれかを選択可能とするように前記各入力部の一覧を表示部に表示させるステップと、
前記検出部が携帯電話機の起動操作を検出するステップと、
前記検出部が前記起動操作を検出した場合に、前記備忘情報あるいは前記記憶部に前記備忘情報が保持されている旨を示す情報を前記表示部に表示させるステップと、
を含むことを特徴とする携帯電話機における表示方法。
【請求項８】
前記表示部に表示させるステップにおいて、前記記憶部に前記備忘情報として保持されている文字情報の少なくとも一部あるいは文字情報が保持されている旨を示す情報を前記表示部に表示させ、
前記文字入力部の操作を検出して対応する前記記憶部に保持されている文字情報を表示可能とするステップを、さらに含むことを特徴とする請求項７記載の携帯電話機における表示方法。
【請求項９】
前記表示部に表示させるステップにおいて、前記記憶部に前記備忘情報として保持されている画像情報の少なくとも一部あるいは画像情報が保持されている旨を示す情報を前記表示部に表示させ、
前記文字入力部の操作を検出して対応する前記記憶部に保持されている画像情報を表示可能とするステップを、さらに含むことを特徴とする請求項７記載の携帯電話機における表示方法。
【請求項１０】
前記表示部に表示させるステップにおいて、前記記憶部に前記備忘情報として音声情報が保持されている旨を示す情報を前記表示部に表示させ、
前記文字入力部の操作を検出して対応する前記記憶部に保持されている音声情報を聴取可能とするステップを、さらに含むことを特徴とする請求項７記載の携帯電話機における表示方法。
【請求項１１】
表示部と、文字、画像および音声の各入力部と、各入力部のいずれかから入力される備忘情報を保持する記憶部と、携帯電話機の起動操作を検出する検出部と、を備える携帯電話機を構成するコンピュータに、
前記各入力部から前記備忘情報を入力させる場合に、前記各入力部のいずれかを選択可能とするように前記各入力部の一覧を表示部に表示させる処理と、
前記検出部が携帯電話機の起動操作を検出する処理と、
前記検出部が前記起動操作を検出した場合に、前記備忘情報あるいは前記記憶部に前記備忘情報が保持されている旨を示す情報を前記表示部に表示させる処理と、
を実行させるプログラム。
【請求項１２】
前記表示部に表示させる処理において、前記記憶部に前記備忘情報として保持されている文字情報の少なくとも一部あるいは文字情報が保持されている旨を示す情報を前記表示部に表示させ、
前記文字入力部の操作を検出して対応する前記記憶部に保持されている文字情報を表示可能とする処理を、さらに実行させる請求項１１記載のプログラム。
【請求項１３】
前記表示部に表示させる処理において、前記記憶部に前記備忘情報として保持されている画像情報の少なくとも一部あるいは画像情報が保持されている旨を示す情報を前記表示部に表示させ、
前記文字入力部の操作を検出して対応する前記記憶部に保持されている画像情報を表示可能とする処理を、さらに実行させる請求項１１記載のプログラム。
【請求項１４】
前記表示部に表示させる処理において、前記記憶部に前記備忘情報として音声情報が保持されている旨を示す情報を前記表示部に表示させ、
前記文字入力部の操作を検出して対応する前記記憶部に保持されている音声情報を聴取可能とする処理を、さらに実行させる請求項１１記載のプログラム。
【発明の詳細な説明】
【技術分野】
【０００１】
本発明は、携帯電話機およびその表示方法ならびにプログラムに係り、特に、文字入力でのメモ機能、カメラでの画像撮影機能、音声の録音機能を備える携帯電話機およびその表示方法ならびにプログラムに係る。
【背景技術】
【０００２】
近年、携帯電話機の普及には目覚しいものがあり、常時携帯され、通話以外にいろいろな使われ方がなされている。例えば、文字入力でのメモ機能、カメラでの静止画／動画撮影機能、音声の録音機能等、多様な機能が搭載され、多用されている（特許文献１、２参照）。
【０００３】
例えば、特許文献１には、電話帳データ中の所定の通信相手に関する日付情報を付加する日付登録手段を設けると共に、この日付登録手段により登録された日付になったときに、該当する通信相手に対する通信を促す表示を行う報知手段を設けた通信端末装置が開示されている。このような通信端末装置によれば、ユーザが、日付登録手段によって、例えば通信相手の特定の記念日や誕生日、通信相手に対するアポイントメントを行うべき日や定期的に連絡を行うべき日等の日付情報を予め登録しておけば、その日付になれば、報知手段によって、自動的に表示部に通信を促す報知がなされるようになる。
【０００４】
また、特許文献２には、カメラによる撮影画像のメモリへの最初の登録時に、画像が登録されていることを示すためのアイコンを作成して表示部へ表示すると共に、以後の撮影画像はアイコンに関連するものとしてメモリへ登録する携帯電話機が記載されている。このような携帯電話機は、メモ代りに撮影した画像の登録や呼出し操作を極めて簡単化し、ユーザに負担をかけることがない。
【０００５】
なお、関連する技術として、特許文献３には、使用開始後においてもアイコンの追加や削除、変更を行えるようにし、常に必要なアイコンを表示することができる選択呼出システムとその選択呼出受信機が記載されている。呼出制御局に、呼出信号にアイコン情報を含めて送信するアイコン情報送信手段を備え、受信機には、自機宛の呼出信号にアイコン情報が含まれている場合にこのアイコン情報を受信してメモリに格納する手段と、この手段が受信したアイコン情報に基づいて表示部に対するアイコンの表示を制御する制御手段とを備えるように構成している。
【０００６】
【特許文献１】特開２０００−３４１３９２号公報
【特許文献２】特開２００４−１２９０６０号公報
【特許文献３】特開２０００−１６５９２１号公報
【発明の開示】
【発明が解決しようとする課題】
【０００７】
以下の分析は本発明において与えられる。
【０００８】
従来、多くの携帯電話機には、メモ機能、カメラでの静止画／動画撮影機能、音声の録音機能が搭載されている。これらの機能は、それぞれの使用目的が異なるため、別個に起動できるように機能の操作上の入り口が個別に設けられている。
【０００９】
ところで、常時携帯される携帯電話機は、「忘れ物防止」をユーザに知らせる機器として有用である。しかし、忘れ物の防止のために、「メモをとりたいが、どうするか」と携帯電話機を起動し、メモ機能、カメラでの静止画／動画撮影機能、音声の録音機能を動作させる場合、操作上で各機能が一つの入り口に無いため、適切なメモのための機能を簡単に選択して操作することが難しかった。
【００１０】
また、忘れ物を防止するためには、メモした内容を目につく場所に置かなくてはならない。例えば、携帯電話の閉→開によってメモした内容が表示されることが好ましい。これに対し待受画面にアイコン等を貼り付けて知らせることができるが、アイコン等小さい形にしての貼り付けのため、例えばシニアなどにとっては、要件を確認するために手間がかかってしまう。
【００１１】
本発明の目的は、利便性の高い忘れ物防止機能を搭載する携帯電話機およびその表示方法を提供することにある。
【課題を解決するための手段】
【００１２】
本発明の１つのアスペクト（側面）に係る携帯電話機は、表示部と、文字、画像および音声の各入力部と、各入力部のいずれかから入力される備忘情報を保持する記憶部と、携帯電話機の起動操作を検出する検出部と、各入力部から備忘情報を入力させる場合に、各入力部のいずれかを選択可能とするように各入力部の一覧を表示部に表示させ、検出部が起動操作を検出した場合に、備忘情報あるいは記憶部に備忘情報が保持されている旨を示す情報を表示部に表示させる制御部と、を備える。
【００１３】
本発明の携帯電話機において、画像の入力部は、静止画あるいは動画を入力可能としてもよい。
【００１４】
本発明の携帯電話機において、携帯電話機が２つの筐体の結合構造をなし、検出部は、２つの筐体が２つ折構造を有する場合に該２つ折構造の開閉を検出し、２つの筐体が互いにスライド構造を有する場合にスライドの有無を検出し、２つの筐体が互いに回転構造を有する場合に回転の有無を検出することで、起動操作を検出するようにしてもよい。
【００１５】
本発明の携帯電話機において、制御部は、検出部が起動操作を検出した場合に、記憶部に備忘情報として保持されている文字情報の少なくとも一部あるいは文字情報が保持されている旨を示す情報を表示部に表示させ、文字入力部の操作を検出して対応する記憶部に保持されている文字情報を表示可能とするように制御してもよい。
【００１６】
本発明の携帯電話機において、制御部は、検出部が起動操作を検出した場合に、記憶部に備忘情報として保持されている画像情報の少なくとも一部あるいは画像情報が保持されている旨を示す情報を表示部に表示させ、文字入力部の操作を検出して対応する記憶部に保持されている画像情報を表示可能とするように制御してもよい。
【００１７】
本発明の携帯電話機において、制御部は、検出部が起動操作を検出した場合に、記憶部に備忘情報として音声情報が保持されている旨を示す情報を表示部に表示させ、文字入力部の操作を検出して対応する記憶部に保持されている音声情報を聴取可能とするように制御してもよい。
【００１８】
本発明の他のアスペクト（側面）に係る携帯電話機の表示方法は、表示部と、文字、画像および音声の各入力部と、各入力部のいずれかから入力される備忘情報を保持する記憶部と、携帯電話機の起動操作を検出する検出部と、を備える携帯電話機における表示方法であって、各入力部から備忘情報を入力させる場合に、各入力部のいずれかを選択可能とするように各入力部の一覧を表示部に表示させるステップと、検出部が携帯電話機の起動操作を検出するステップと、検出部が起動操作を検出した場合に、備忘情報あるいは記憶部に備忘情報が保持されている旨を示す情報を表示部に表示させるステップと、を含む。
【００１９】
本発明の携帯電話機の表示方法において、表示部に表示させるステップにおいて、記憶部に備忘情報として保持されている文字情報の少なくとも一部あるいは文字情報が保持されている旨を示す情報を表示部に表示させ、文字入力部の操作を検出して対応する記憶部に保持されている文字情報を表示可能とするステップを、さらに含んでもよい。
【００２０】
本発明の携帯電話機の表示方法において、表示部に表示させるステップにおいて、記憶部に備忘情報として保持されている画像情報の少なくとも一部あるいは画像情報が保持されている旨を示す情報を表示部に表示させ、文字入力部の操作を検出して対応する記憶部に保持されている画像情報を表示可能とするステップを、さらに含んでもよい。
【００２１】
本発明の携帯電話機の表示方法において、表示部に表示させるステップにおいて、記憶部に備忘情報として音声情報が保持されている旨を示す情報を表示部に表示させ、文字入力部の操作を検出して対応する記憶部に保持されている音声情報を聴取可能とするステップを、さらに含んでもよい。
【００２２】
本発明のさらに他のアスペクト（側面）に係るプログラムは、表示部と、文字、画像および音声の各入力部と、各入力部のいずれかから入力される備忘情報を保持する記憶部と、携帯電話機の起動操作を検出する検出部と、を備える携帯電話機を構成するコンピュータに、各入力部から備忘情報を入力させる場合に、各入力部のいずれかを選択可能とするように各入力部の一覧を表示部に表示させる処理と、検出部が携帯電話機の起動操作を検出する処理と、検出部が起動操作を検出した場合に、備忘情報あるいは記憶部に備忘情報が保持されている旨を示す情報を表示部に表示させる処理と、を実行させる。
【発明の効果】
【００２３】
本発明によれば、忘れ物を防止するために使用できそうな機能を選択するための操作を一つにまとめた。そのため、「メモをとりたいが、どうするか」と忘れ物防止機能を起動したときに、文字、画像および音声の各入力部の中から所望の入力を簡単に選択することができる。さらに、忘れたと思ったときに簡単な起動操作でメモの確認ができる。したがって、利便性の高い忘れ物防止機能が実現される。
【発明を実施するための最良の形態】
【００２４】
本発明の実施形態に係る携帯電話機は、主として以下のような機能を備える。
・待受画面に文字をメモのように貼り付ける。
・待受画面にカメラで撮影した静止画／動画を示すアイコン状の画像を貼り付ける。このアイコン状の画像は、静止画／動画の種別を確認できるようなものであることが好ましい。
・待受画面にカメラで撮影した静止画／動画を縮小して貼り付ける。
・待受画面に録音した音声データを示す文字、記号、画像を貼り付ける。
・キー操作を必要とせず、携帯電話機の閉→開操作のみで、メモの有無を確認する。この場合、メモの有無だけでなく、メモの内容も見ることができることが好ましい。
【００２５】
このような携帯電話機は、主として以下３点の特徴を有する。
（１）ユーザが文字入力したメモ、撮影した静止画あるいは動画、録音した音声の存在を示す内容を待受画面に貼り付けて、容易に確認可能とする。
（２）このメモを待受画面に貼り付けるときに、デスクトップアイコン等のように小さくして貼り付けるのではなく、メモが確認できる大きさで貼り付け、携帯電話を開いたときにすぐ確認できる状態にしておく。
（３）この文字メモ／静止画／動画／音声を同じ入り口から起動可能にする。
【００２６】
このような特徴により、メモを残す目的のために、文字入力、カメラでの静止画／動画撮影、音声の録音機能の操作に係る入り口をひとつにすることで、機能選択を簡単にすることができる。したがって、使い勝手のよい忘れ物防止機能が実現される。
【００２７】
また、記入したメモ、撮影した静止画／動画、録音した音声に対応するデータを待受画面に貼付け、携帯電話機を閉→開したときに貼付けたデータを表示することができる。したがって、ちょっとメモをしたが、メモをどこに格納したのか忘れたとか、出かけるときの忘れもの防止にも有効である。
【００２８】
以下、実施例に即し、図面を参照して詳細に説明する。
【実施例１】
【００２９】
図１は、本発明の実施例に係る携帯電話機の構成を示すブロック図である。図１において、携帯電話機は、制御部２０、ＲＯＭ２１、ＲＡＭ２２、ＬＣＤドライバ２３、表示部２４、カメラ２５、音声録音部２６、受話器２７、ボタン入力部２８、開閉検知部２９、送受信部３０、アンテナ３１を備える。
【００３０】
制御部２０は、ＲＯＭ２１、ＲＡＭ２２、ＬＣＤドライバ２３、カメラ２５、音声録音部２６、受話器２７、ボタン入力部２８、開閉検知部２９、送受信部３０と接続され、携帯電話機の通話機能、データ通信機能、メモ機能、カメラでの静止画／動画撮影機能、音声の録音機能等を動作させる。また、制御部２０は、ＲＯＭ２１に記憶されるプログラムに基づいてこれら各種の機能を実行させる。
【００３１】
ＲＡＭ２２は、制御部２０の制御に応じて文字、記号、画像などの情報を含む各種データを記憶する。
【００３２】
ＬＣＤドライバ２３は、制御部２０の制御に基づいて液晶などで構成される表示部２４を駆動し、ＲＡＭ２２等に記憶されている文字、記号、画像などの情報を表示部２４に表示させる。また、カメラ２５による撮影画像を表示部２４に表示させる。
【００３３】
カメラ２５は、携帯電話機に内蔵される撮像装置であって、制御部２０の制御に基づいて静止画あるいは動画を撮影する。撮影された画像情報は、ＲＡＭ２２に記憶される。
【００３４】
音声録音部２６は、マイク、音声符号化部などから構成され、制御部２０の制御に基づいてマイクから入力される音声情報をＲＡＭ２２に記憶させる。なお、録音される音声情報は、音声に限定せず一般の音を対象としてもよい。
【００３５】
受話器２７は、制御部２０の制御に基づいてＲＡＭ２２等に記憶されている音声情報を再生する。
【００３６】
ボタン入力部２８は、押しボタンスイッチなどで構成される。制御部２０は、ボタン入力部２８が操作されたことを読み取って、文字情報の入力、各種機能を選択、操作などの内容を判断する。
【００３７】
開閉検知部２９は、携帯電話機が２つの筐体の結合構造をなし、２つの筐体が２つ折構造を有する場合であれば２つ折構造の開閉を検出する。また、２つの筐体が互いにスライド構造を有する場合であればスライドの有無を検出する。さらに、２つの筐体が互いに回転構造を有する場合であれば回転の有無を検出する。これらの検出によって、携帯電話機の起動操作を検出する。なお、以下の説明では、携帯電話機が２つ折構造であって、「閉」→「開」と操作がなされて起動操作が検出されるものとして説明するが、これに限定されるものではない。
【００３８】
送受信部３０は、アンテナ３１に接続され、基地局との間で無線による通話信号、データ信号の送受を行う。
【００３９】
以下、本実施例の携帯電話機を用いて忘れ物防止を実現する機能を、『忘れないでメモ』機能と呼ぶ。まず、忘れ物防止のために『忘れないでメモ』機能を立ち上げる必要があるが、これはＲＯＭ２１に格納されている『忘れないでメモ』機能に係るプログラムを、機能メニューより選択して起動する。『忘れないでメモ』機能が起動すると、文字メモ、カメラメモ、音声メモのうち、どの機能によってメモをとるかを選択することができる画面を表示部２４に表示する。
【００４０】
文字メモを取る場合は、ボタン入力部２８から入力した情報を、文字情報として制御部２０を介してＲＡＭ２２に保存する。
【００４１】
カメラメモを撮る場合は、カメラメモ機能を選択後に、静止画／動画のどちらでメモを残すかボタン入力部２８の操作によって選択する。どちらでメモを残すかを選択した後、カメラ２５を起動する。撮影終了後、ボタン入力部２８の操作によって撮影した画像情報の保存を指示することで制御部２０を介してＲＡＭ２２に撮影データを保存する。
【００４２】
音声メモを録る場合は、音声メモ機能を選択すると音声録音部２６を起動し、ボタン入力部２８の操作によって録音を開始する。録音終了後、保存した音声情報は、制御部２０を介してＲＡＭ２２に保存される。
【００４３】
ＲＡＭ２２に保存された『忘れないでメモ』に係る情報は、制御部２０の制御の元、ＬＣＤドライバ２３を介して、表示部２４に表示される。この表示には、待受画面に表示されるものと、機能メニューに表示されるものの２通りある。
【００４４】
図２は、本発明の実施例に係る携帯電話機のメモを取る動作を表すフローチャートである。
【００４５】
ステップＳ３０において、携帯電話機は待受状態にある。
【００４６】
ステップＳ４１において、『忘れないでメモ』機能が起動しているかどうかの判断を行い、起動していればステップＳ４２に進み、起動していなければステップＳ３０に戻る。
【００４７】
『忘れないでメモ』機能が起動していると判断された場合、文字メモ、カメラメモ、音声メモのいずれかを選択するフローに遷移する。すなわち、ステップＳ４２において、文字メモをとる機能に遷移した場合、ステップＳ３１に進む。また、ステップＳ４６において、カメラメモをとる機能に遷移した場合、ステップＳ３２に進む。さらに、ステップＳ５０において、音声メモをとる機能に遷移した場合、ステップＳ３３に進む。
【００４８】
ステップＳ３１において、文字メモをとるための入力画面を起動し、文字入力によってメモをとることを可能とする。ステップＳ４３において、文字を入力する。ステップＳ４４において、文字の入力が完了したならば、ステップＳ４５において、入力した文字列を文字情報としてＲＡＭ２２に保存する。なお、待受画面に貼ることを考えて、文字メモをとるための文字数を、例えば５０文字以内とか、３０文字以内とかに制限をつけてもよい。
【００４９】
ステップＳ３２において、カメラメモをとるための入力画面を起動し、カメラによる撮影を可能とするためカメラ２５を起動する。なお、カメラ起動前後に静止画／動画での撮影モード選択をボタン入力部２８で操作することが望ましい。ステップＳ４７において、静止画／動画の撮影を行う。ステップＳ４８において、撮影が完了したならば、ステップＳ４９において、撮影した静止画／動画の画像情報をＲＡＭ２２に保存する。なお、画像情報は、例えば日程表やスケジュール等、写真に撮ってあとで日程や時間を確認したいものと考えられるため、写真のサイズ等にはこだわらないと割り切り、撮影サイズや画質等を変更できないようにしてもよい。
【００５０】
ステップＳ３３において、音声メモをとるための入力画面を起動し、音声の録音を可能とするため音声録音部２６を起動する。ステップＳ５１において、音声の録音を行う。ステップＳ５２において、録音が完了したならば、ステップＳ５３において、録音した音声情報をＲＡＭ２２に保存する。なお、ここではちょっとしたメモ代わりにユーザ自身の音声を録音することを考え、録音される音声情報に対し、例えば１５秒以内とか、２０秒以内等の時間制限をつけてもよい。
【００５１】
図３は、携帯電話機のメモを取る動作における表示部２４における表示の例を示す図である。『忘れないでメモ』画面が表示されている状態で、「文字メモ」、「カメラメモ」、「ボイスメモ」が選択可能候補として表示される。
【００５２】
「文字メモ」を選択した場合、「文字メモ」画面が表示され、例えば「燃えるゴミは月水金」と文字入力し、これを登録することができる。
【００５３】
また、「カメラメモ」を選択した場合、「カメラメモ」画面が表示され、「ムービーモード」（動画）と「フォトモード」（静止画）が選択可能候補として表示される。続いて、例えば、「ムービーモード」を選択した場合、撮影中の画像が表示される。
【００５４】
さらに、「ボイスメモ」（音声メモ）を選択した場合、「ボイスメモ」画面が表示され、録音を開始するか否かを選択可能として表示される。続いて、録音を開始（ＹＥＳ）を選択した場合、「ボイスメモ録音中」の画面が表示される。
【００５５】
図４は、本発明の実施例に係る携帯電話機の待受における動作を表すフローチャートである。
【００５６】
ステップＳ６０において、携帯電話機は閉じているか否かの判断を行う。携帯電話機が閉じている状態であれば（ステップＳ６０のＹＥＳ）、ステップＳ６１において、携帯電話機が開状態になったか否かを判断する。そして、携帯電話機が開状態になったならば（ステップＳ６１のＹＥＳ）、ステップＳ６２において、『忘れないでメモ』の登録があるか否かを判断する。『忘れないでメモ』の登録がある場合（ステップＳ６２のＹＥＳ）は、携帯電話機を開いたときに登録済みのメモを表示し、ユーザに忘れ物がないかアピールすることができる。図５は、待受画面に各種メモを貼付けた状態のイメージ画面の例を示す図である。
【００５７】
次に、ステップＳ６３、Ｓ６６、Ｓ６９において、『忘れないでメモ』のメモの種類を判別する。
【００５８】
文字メモがある場合（ステップＳ６３のＹＥＳ）は、ステップＳ６４において、ボタン入力部２８の操作によって文字メモのデスクトップアイコンが選択されたか否かを判断する。選択された場合、ステップＳ６５において、文字メモを表示部２４に表示し文字メモの内容を確認することができる。
【００５９】
カメラメモがある場合（ステップＳ６６のＹＥＳ）は、ステップＳ６７において、ボタン入力部２８の操作によってカメラメモのデスクトップアイコンが選択されたか否かを判断する。選択された場合、ステップＳ６８において、カメラメモの表示画面においてカメラメモを確認可能とする。ここで、カメラメモには、静止画と動画があり、デスクトップアイコンは、該当カメラメモの静止画／動画がわかりやすい形状で表示されることが好ましい。
【００６０】
音声メモがある場合（ステップＳ６９のＹＥＳ）は、ステップＳ７０において、ボタン入力部２８の操作によって音声メモのデスクトップアイコンが選択されたか否かを判断する。選択された場合、ステップＳ７１において、音声メモ再生を促す画面を表示し、音声メモを再生するか否かをボタン入力部２８の操作によって指示する。再生指示がなされた場合、ステップＳ７２において、音声メモの再生を行う。
【００６１】
以上説明したように動作する携帯電話機は、例えば以下のような使われ方がなされる。
【００６２】
文字メモをとることにより、明日の持ち物や連絡事項等を簡単にメモすることができ、それを待受画面に貼り付けられる。貼り付けたメモは、携帯電話機の閉→開において確認可能とする。キー操作が不要なため、メモしたことを忘れてしまう可能性も低く、忘れ物防止に役立つ。
【００６３】
カメラメモは、例えば電車やバスのスケジュールや、燃えるゴミは月水金、燃えないゴミは火木、資源ゴミは…等のゴミ回収スケジュール等に役立つ。メモするには長すぎる場合、一覧表になっているものをカメラで撮影し、カメラメモとして設定すれば、携帯電話の閉→開のみで、キー操作を必要とせずにカメラメモの確認を可能とする。カメラメモをじっくり見たいときは、待受画面よりカメラメモのアイコンを選択し、確定キー相当のボタンを押下するのみで、撮影済みのカメラメモを表示できる。
【００６４】
音声メモは、例えば友人との待ち合わせの時間や、明日までのノルマを頂いたときの上司の言葉を簡単に録音可能とする。録音したことを示す音声メモは自動的に待受画面に貼りつき、簡単な操作で再生可能なため、いつでも約束やノルマを確認することができる。
【００６５】
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図面の簡単な説明】
【００６６】
【図１】本発明の実施例に係る携帯電話機の構成を示すブロック図である。
【図２】本発明の実施例に係る携帯電話機のメモを取る動作を表すフローチャートである。
【図３】メモを取る動作における表示部における表示の例を示す図である。
【図４】本発明の実施例に係る携帯電話機の待受における動作を表すフローチャートである。
【図５】待受画面に各種メモを貼付けた状態のイメージ画面の例を示す図である。
【符号の説明】
【００６７】
２０  制御部
２１  ＲＯＭ
２２  ＲＡＭ
２３  ＬＣＤドライバ
２４  表示部
２５  カメラ
２６  音声録音部
２７  受話器
２８  ボタン入力部
２９  開閉検知部
３０  送受信部
３１  アンテナ
【図１】
2009105641.tif 000003
【図２】
2009105641.tif 000004
【図３】
2009105641.tif 000005
【図４】
2009105641.tif 000006
【図５】
2009105641.tif 000007